(57)【特許請求の範囲】
【請求項１】
プレキャストコンクリートブロックからなる特定形状の版体であって、それらの複数個を幾何学的に整列した場合に角部が集合してその中心に透孔が形成されるように各角部が形成されたブロックの複数個を積み上げて、上流側とそれからダムの所要巾にて離間した下流側に、互いに傾斜し又は垂直で平行な一対の壁体を、前記透孔に挿通する管体又は棒体と、該管体又は棒体の両端部に脱着可能に連結されて前記ブロックの肉厚部を挟持する一対の板体を前記ブロックの肉厚分離間させてスペーサー部材にて一体的に結合したブロック挟持部材とからなる結合部材を挿通して上流側と下流側の前記一対の壁体を一体的に結合しながら構築し、結合された一対の壁体間に形成される空間部に礫石等を投入して砂防用ダムを構築することを特徴とするプレキャストコンクリートブロックを用いた砂防用ダムの構築方法。
【請求項２】
前記ブロックは多角形のプレキャストコンクリート版であって、各角部には前記透孔を形成するための切頭部が形成されていることを特徴とする請求項１記載のプレキャストコンクリートブロックを用いた砂防用ダムの構築方法。
【請求項３】
請求項1記載のプレキャストコンクリートブロックを用いた砂防用ダムの構築方法に使用する結合部材であって、
前記ブロックの複数個を幾何学的に整列した場合に形成される透孔に挿通する管体又は棒体と、該管体又は棒体の両端部に脱着可能に連結されて前記ブロックの肉厚部を挟持する一対の板体を前記ブロックの肉厚分離間させてスペーサー部材にて一体的に結合したブロック挟持部材とからなることを特徴とするプレキャストコンクリートブロックを用いた砂防用ダムの結合部材。
【請求項４】
前記ブロック挟持部材は前記管体又は棒体に対し所定の角度を有して左右対称的に前記両端部に配置されることを特徴とする請求項３記載のプレキャストコンクリートブロックを用いた砂防用ダムの結合部材。
【請求項５】
前記ブロック挟持部材は前記所定の傾斜角度を有するために前記一対の板体に摺接する傾斜面を有する角度付け部材を伴って配置されていることを特徴とする請求項３又は４記載のプレキャストコンクリートブロックを用いた砂防用ダムの結合部材。
【請求項６】
前記スペーサーは円形又は多角形の筒体であることを特徴とする請求項３〜５のいずれか記載のプレキャストコンクリートブロックを用いた砂防用ダムの結合部材。
【請求項７】
前記管体又は棒体とブロック挟持部材とがそれぞれ金属、コンクリート、プラスチック又はこれらの組み合わせからなることを特徴とする請求項３〜６のいずれか記載のプレキャストコンクリートブロックを用いた砂防用ダムの結合部材。
【発明の詳細な説明】
【０００１】
【発明の属する技術分野】
この発明は、プレキャストコンクリートブロックを用いた砂防用ダムの構築方法及びその結合部材に関し、特に、山間僻地の河川に砂防用ダムを、利便性、作業容易性及び経済性高くかつ能率的に構築できるように、結合部材にて相互に連結するプレキャストコンクリートブロックで形成するものである。
【０００２】
【従来の技術】
砂防用ダムは礫石の多い河川の川床が上昇するのを避けるべく、礫石が下流に流れないようにせき止めるものであって、我が国ではかなり多くの河川に採用されている。
【０００３】
従来一般に、砂防用ダムを構築するには現場打ち工法、すなわち、山間僻地にコンクリート打設用の機器・資材を運搬し、河川に型枠を構築してその型枠に生コンクリートを打設し、養生固化させて形成している。
【０００４】
【発明が解決しようとする課題】
しかしながら、山間僻地に機器・資材を運搬することは道路が車両通行可能に整備されている場合にはともかく、道路が整備されていないような山間部における施工となると限られ、搬送能力が小さいロープウェイや人力運搬に頼る以外になく、したがって、設計に見合う砂防用ダム一つを構築するにはかなりの費用を要することが知られている。
【０００５】
そこで、この発明は現場打ち工法に代わるプレキャストコンクリートブロックを用いた、利便性と経済性の高い砂防用ダムの構築方法及びそれに用いる結合部材を提供する。
【０００６】
【課題を解決するための手段】
この発明に係るプレキャストコンクリートブロックを用いた砂防用ダムの構築方法は、プレキャストコンクリートブロックからなる特定形状の版体であって、それらの複数個を幾何学的に整列した場合に角部が集合してその中心に透孔が形成されるように各角部が形成されたブロックの複数個を積み上げて、上流側とそれからダムの所要巾にて離間した下流側に、互いに傾斜し又は垂直で平行な一対の壁体を、前記透孔に挿通する管体又は棒体と、該管体又は棒体の両端部に脱着可能に連結されて前記ブロックの肉厚部を挟持する一対の板体を前記ブロックの肉厚分離間させてスペーサー部材にて一体的に結合したブロック挟持部材とからなる結合部材を挿通して上流側と下流側の前記一対の壁体を一体的に結合しながら構築し、結合された一対の壁体間に形成される空間部に礫石等を投入して砂防用ダムを構築することを特徴とする。
【０００７】
そして、前記ブロックは多角形のプレキャストコンクリート版であって、各角部には前記透孔を形成するための切頭部が形成されていることを特徴とするとともに、前記結合部材は前記透孔に挿通する管体又は棒体と、該管体又は棒体の両端部に脱着可能に連結されて前記ブロックの肉厚部を挟持するブロック挟持部材とからなることを特徴とする。
【０００８】
したがって、機器・資材に比べると可搬性の極めて高いコンクリートブロックにて砂防用ダムが現場打ちでなく構築できる利便性と経済性を有する。
【０００９】
また、この発明に係るプレキャストコンクリートブロックを用いた砂防用ダムの結合部材は、前記プレキャストコンクリートブロックを用いた砂防用ダムの構築方法に使用する結合部材であって、前記ブロックの複数個を幾何学的に整列した場合に形成される透孔に挿通する管体又は棒体と、該管体又は棒体の両端部に脱着可能に連結されて前記ブロックの肉厚部を挟持する一対の板体を前記ブロックの肉厚分離間させてスペーサー部材にて一体的に結合したブロック挟持部材とからなることを特徴とする。
【００１０】
そして、前記ブロック挟持部材は前記ブロックの表面又は裏面に当接する一対の板体を前記ブロックの肉厚分離間させてスペーサー部材にて一体的に結合したものであることを特徴とする。また、前記ブロック挟持部材は前記管体又は棒体に対し所定の角度を有して左右対称的に前記両端部に配置されることを特徴とする。さらに、前記ブロック挟持部材は前記所定の傾斜角度を有するために前記一対の板体に摺接する傾斜面を有する角度付け部材を伴って配置されていることを特徴とする。
【００１１】
さらに、前記スペーサーは円形又は多角形の筒体であることを特徴とするとともに、前記管体又は棒体とブロック挟持部材とがそれぞれ金属からなることを特徴とするほか、前記管体又は棒体とブロック挟持部材とがそれぞれ金属、コンクリート、プラスチック又はこれらの組み合わせからなることを特徴とする。
【００１２】
したがって、コンクリートブロックを積み重ねることにより砂防用ダムが構築できるので、機器・資材の運搬を伴うことなく、作業性容易な砂防用ダムであるから、砂防用ダムとして山間僻地にコンクリート打設をする際に伴う種々の不便を解消できる。
【００１３】
【発明の実施の形態】
以下、この発明の実施の形態を図に基づき説明する。図１に示すように、砂防用ダム１は複数個の略三角形のプレキャストコンクリートからなるブロック２を幾何学的に整列して積み上げ、各ブロック２の角部が集合して形成される透孔３に結合部材４（図２，３参照）を挿通してブロック２の相互を結合することにより、略凹状の一対の壁体５，５を形成し、その壁体５，５間に形成される空間部に礫石等６を投入して埋め込み形成したものである。ブロック２は、図９に示すように、各頂部に切頭部７を有してそれらが集合した場合に中心部に前記透孔３が形成される凹状のもので、周壁部２ａには水抜きのためのスリット２ｂを形成してある。なお、周壁部２ａを形成しないで単なる平版としてもよい。
【００１４】
すなわち、プレキャストコンクリートブロックからなる特定形状の版体であって、それらの複数個を幾何学的に整列した場合に角部が集合してその中心に透孔が形成されるようにしたブロック２の複数個を積み上げて、上流側とそれからダムの所要巾にて離間した下流側に、互いに傾斜し又は垂直で平行な一対の壁体５，５を形成する一方、上流側と下流側の前記一対の壁体５，５の前記透孔３に結合部材４を挿通して一体的に結合し、結合された一対の壁体５，５間に形成される空間部に現場にある自然石や礫石等６を投入し充填して砂防用ダム１を構築するのである。
【００１５】
結合部材４は、図４に示すように、砂防用ダム１の必要巾Ｗ（肉厚寸法）とほぼ同じ長さの金属からなる管体１０の両端部にブロック挟持部材１１を左右対称に結合配置したものであって、管体１０は壁体５から突出して外部に開放されており、したがって、上流側の壁体５で貯められた水が管体１０内に流入して下流側の壁体５側から放出できるようになっている。
【００１６】
また、図５に示すように、結合部材４は砂防用ダム１の必要巾Ｗ（肉厚寸法）とほぼ同じ長さの金属からなる棒体１２の両端部にブロック挟持部材１１を直交し又は互いに内方へ傾斜させて左右対称に結合配置したものでもよい。これらの結合部材４を、管体１０のものと棒体１２のものとに区別して、配置すべき箇所を選んで適宜必要に応じて装着するものである。また、後述する図６に示すコンクリート製の結合部材４も選択の対象となる。
【００１７】
なお、図２及び図３に示すように、砂防用ダム１は川床８の礎石９と接触する部分における壁体５間の距離は最も大きくて上方へ向けて次第に小さく構築するのが常道であるから、前記結合部材４の長さは上段下段ではそれぞれ異なるものである。しかしながら、壁体５，５の傾斜角度θは最上段も下段も同じであるから、後述する角度付け部材１７は全て同じものを用いることができ、一種類で足りる共用性がある。また、壁体５，５は傾斜することなく、垂直に立設して互いに平行に構築してもよい。
【００１８】
ブロック挟持部材１１は、図４及び図５に示すように、前記透孔３を覆いブロック２の角部に掛かる面積の略円形又は方形（図８参照）の板体１５の一対を多角筒形又は円筒形のスペーサー１６を介在し結合してなり、板体１５及びスペーサー１６は鋼等の金属からなり、板体１５はその中心部に管体１０及び棒体１２を遊嵌できる軸孔１５ａを有し、また、スペーサー１６はその軸孔１５ａを包囲している。
【００１９】
そして、ブロック挟持部材１１の左右両側には角度付け部材１７，１７が管体１０又は棒体１２の両端部に板体１５，１５に当接するようにナット１８，１８にて締付けて配置される。板体１５，１５間の距離、すなわちスペーサーの軸長は、ブロック２の肉厚寸法、すなわち、切頭角部に肉厚とほぼ等しくしてある。この角度付け部材１７，１７は、壁体５，５を垂直で互いに平行に構築するときは用いない。
【００２０】
角度付け部材１７は、図７，８に示すように、一側面を前記壁体５の傾斜角度θと同じ角度の傾斜面１９とした楔形の部材で、板体１５にその傾斜面１９が接触する配置にして管体１０又は棒体１２の両端部に左右対称に配置されるために軸孔２０が形成されている。軸孔２０は管体１０と棒体１２を遊嵌できる。ナット１８は管体１０又は棒体１２の端部に形成したねじ部２１に螺合できる。この角度付け部材１７の一対でブロック挟持部材１１を挟持して管体１０又は棒体１２に挿通すると、図４，５及び図８に示すように、それらに対してブロック挟持部材１１は傾斜して装着されるのである。この傾斜角度は前記壁体５の傾斜角度θと同じである。
【００２１】
なお、図６に示すように、結合部材４はコンクリートで一体成形することができる。すなわち、コンクリート成形の常道のように、心材にて結合部材４の形状を作成してそれを型枠に嵌めてコンクリートで覆い固めるものである。図においてブロック挟持部材に相当する部分２２は管体又は棒体に相当する部分２３に対して垂直に成形されているが、前記同様に左右対称で傾斜して成形することも自在である。また、管体又は棒体に相当する部分２２は管体として成形することも自在にできる。２４はスペーサー１６に相当する部分である。
【００２２】
かくして構築された砂防用ダム１は、図２に示すように、一対の壁体５，５の略中央部に形成される凹部２５から通例のごとく水が下流側へ流れ、また、図３に示すように、凹部２４の両側の高い凸部２６でせき止められた水２７は管体１０から下流側へ放流され、砂や石２８等は上流側の壁体５でせき止められる。水圧や礫石圧に対しては、壁体５，５の左右両端部を河川の両岸２９，２９（図１参照）に深く支持させることにより、十分に耐え得る構造とすることができる。
【００２３】
なお、上記実施の形態にあってブロック２は略三角形のプレキャストコンクリート版からなるものを用いたが、ブロック２の形状は三角以外の四角形や五角形又は六角形等の多角形でもよく、また、切頭部７が集合する接続部に前記結合部材４が挿通する透孔３を形成できれば、壁体５全体形状を可搬性高く適宜に切断した方形や台形等の平版からなる数種のプレキャストコンクリートスラブでもよい。
【００２４】
【発明の効果】
以上説明したこの発明によれば、コンクリート打設用の機器・資材に比べると可搬性の極めて高いコンクリートブロックにて砂防用ダムが現場打ちでなく能率高く構築できる利便性と経済性を有する。また、コンクリートブロックを積み重ねることにより能率高く砂防用ダムが構築できるので、機器・資材の運搬を伴うことなく作業性容易で、砂防用ダムとして山間僻地にコンクリート打設をする際に伴う種々の不便を解消できる。
【図面の簡単な説明】
【図１】この発明にかかる砂防用ダムの斜視図である。
【図２】図１のＡ−Ａ断面図である。
【図３】図１のＢ−Ｂ断面図である。
【図４】結合部材の正面図（Ａ）及び側面図（Ｂ）である。
【図５】結合部材の他の例を示す正面図（Ａ）及び側面図（Ｂ）である。
【図６】結合部材の更に他の例を示す正面図（Ａ）及び側面図（Ｂ）である。
【図７】結合部材の正面分解図である。
【図８】結合部材の要部斜視図である。
【図９】プレキャストコンクリートブロックの正面図（Ａ）、側面図（Ｂ）及びＡ−Ａ断面図（Ｃ）である。
【符号の説明】
１…砂防用ダム
２…ブロック
３…透孔
４…結合部材
５…壁体
６…礫石等
７…切頭部
１０…管体
１１…ブロック挟持部材
１２…棒体
１５…板体
１６…スペーサー
１７…角度付け部材
１８…ナット
１９…傾斜面
２０…軸孔
【図１】
0004049471.tif 000002
【図２】
0004049471.tif 000003
【図３】
0004049471.tif 000004
【図４】
0004049471.tif 000005
【図５】
0004049471.tif 000006
【図６】
0004049471.tif 000007
【図７】
0004049471.tif 000008
【図８】
0004049471.tif 000009
【図９】
0004049471.tif 000010